(57)【要約】【課題】屋根上での作業の手間がかからず、施工性がよい屋根構造を提供する。【解決手段】野地板１の下面に垂木２が固定されて構成される屋根パネル３と、垂木２を支持する複数の横架材４と、を備え、屋根パネル３は、垂木２の横架材４に対応する部分に固定具５を備え、固定具５が横架材３に取り付けられることで、屋根パネル３が横架材４に固定される。【選択図】図１
2014070419.tif 000002
【特許請求の範囲】
【請求項１】
野地板の下面に垂木が固定されて構成される屋根パネルと、
前記垂木を支持する複数の横架材と、を備え、
前記屋根パネルは、前記垂木の前記横架材に対応する部分に固定具を備え、
前記固定具が前記横架材に取り付けられることで、前記屋根パネルが前記横架材に固定されて成ることを特徴とする屋根構造。
【請求項２】
前記固定具は、前記垂木の側面に固定される固定部と、前記固定部に対して可動となり、前記垂木の下面より突没可能で前記横架材に取り付けられる可動部と、を備えていることを特徴とする請求項１記載の屋根構造。
【請求項３】
前記横架材がＨ型鋼で構成され、前記固定具が、前記横架材の上フランジのウェブと連結されている部分よりも軒側の部分と棟側の部分のいずれかに固定されるものであって、
前記屋根パネルの各前記垂木の同一の前記横架材に固定される前記固定具が設けられる位置について、前記横架材の前記軒側の部分に対応する位置と前記棟側の部分に対応する位置とが、前記垂木に互い違いとなることを特徴とする請求項１又は２記載の屋根構造。
【請求項４】
前記固定具は、一の前記垂木に固定される、一の前記横架材に固定されるための前記固定具が、前記一の前記垂木の軒方向の一側の側面と他側の側面のいずれかに固定されるものであって、
前記固定具の一の前記垂木への固定位置となる、前記一側の側面または前記他側の側面のいずれかが、軒棟方向に互い違いとなることを特徴とする請求項１乃至３のいずれか一項に記載の屋根構造。
【発明の詳細な説明】
【技術分野】
【０００１】
本発明は、屋根構造に関するものである。
【背景技術】
【０００２】
従来より、図１０に示すように、棟木や母屋や軒桁のような横架材４に垂木２が固定され、垂木２に、瓦等の屋根仕上材（不図示）を葺くための野地板１が固定されてなる屋根構造が一般的に用いられている（例えば特許文献１参照）。
【０００３】
この従来の屋根構造にあっては、横架材４を組み上げた後、上棟工事施工者が複数の垂木２を固定し、その後、垂木２に野地板１を固定する作業を行っていた。
【先行技術文献】
【特許文献】
【０００４】
【特許文献１】特開２０１２−６７４６１号公報
【発明の概要】
【発明が解決しようとする課題】
【０００５】
上記のような上棟工事にあっては、所定の間隔（例えば４５ｃｍ）をあけて多数の垂木２を仮置きし、各垂木２につき、所定の間隔（例えば９０ｃｍ）をあけて設けられている複数の横架材４にそれぞれ固定するものであった。図１０に示す従来例にあっては、各垂木２について各横架材４毎に二個の固定金物を用いて固定するもので、固定金物をビスにより野地板１に固定し、固定金物の挟持部にて横架材４を挟持することで固定を行っていた。
【０００６】
このため、上棟工事施工者は、多数の固定箇所（例えば一般的なプレハブ住宅では１５０箇所）で用いる固定金物とビスを持って屋根上に上がって作業を行う必要があり、施工性が悪いものであった。
【０００７】
本発明は上記従来の問題点に鑑みて発明したものであって、その目的とするところは、屋根上での作業の手間がかからず、施工性がよい屋根構造を提供することを課題とするものである。
【課題を解決するための手段】
【０００８】
上記課題を解決するために、本発明の屋根構造は、野地板の下面に垂木が固定されて構成される屋根パネルと、前記垂木を支持する複数の横架材と、を備え、前記屋根パネルは、前記垂木の前記横架材に対応する部分に固定具を備え、前記固定具が前記横架材に取り付けられることで、前記屋根パネルが前記横架材に固定されて成ることを特徴とする。
【０００９】
また、請求項２に係る発明は、請求項１に係る発明において、前記固定具は、前記垂木の側面に固定される固定部と、前記固定部に対して可動となり、前記垂木の下面より突没可能で前記横架材に取り付けられる可動部と、を備えていることを特徴とする。
【００１０】
請求項３に係る発明にあっては、前記横架材がＨ型鋼で構成され、前記固定具が、前記横架材の上フランジのウェブと連結されている部分よりも軒側の部分と棟側の部分のいずれかに固定されるものであって、前記屋根パネルの各前記垂木の同一の前記横架材に固定される前記固定具が設けられる位置について、前記横架材の前記軒側の部分に対応する位置と前記棟側の部分に対応する位置とが、前記垂木に互い違いとなることを特徴とする。
【００１１】
請求項４に係る発明にあっては、前記固定具は、一の前記垂木に固定される、一の前記横架材に固定されるための前記固定具が、前記一の前記垂木の軒方向の一側の側面と他側の側面のいずれかに固定されるものであって、前記固定具の一の前記垂木への固定位置となる、前記一側の側面または前記他側の側面のいずれかが、軒棟方向に互い違いとなることを特徴とする。
【発明の効果】
【００１２】
請求項１に係る発明にあっては、従来のように上棟工事施工者が多数の固定金物とビスを持って屋根上に上がって作業を行うといったことが不要となり、施工性が向上する。
【００１３】
請求項２に係る発明にあっては、固定具を垂木の下面から突出しないように収容することができて、屋根パネルを搬送する際に固定具が邪魔になることがない。
【００１４】
請求項３に係る発明にあっては、横架材の捻れを抑制することができる。
【００１５】
請求項４に係る発明にあっては、垂木の捻れを抑制することができる。
【図面の簡単な説明】
【００１６】
【図１】本発明の屋根構造の一実施形態（固定具が棟側の固着具挿通孔に固定される例）の要部断面図である。
【図２】同上の実施形態の一部の平面図である。
【図３】同上の実施形態における固定具の固定部を示し、（ａ）は正面図であり、（ｂ）は側面図であり、（ｃ）は平面図である。
【図４】同上の実施形態における固定具の可動部を示し、（ａ）は正面図であり、（ｂ）は側面図である。
【図５】同上の実施形態における固定具の床パネルへの収まりを説明する断面図である。
【図６】同上の実施形態における固定具の軒側の固着具挿通孔に固定される例の要部断面図である。
【図７】同上の例における固定具の床パネルへの収まりを説明する断面図である。
【００１７】
【図８】横架材が棟木のような部材の例の要部断面図である。
【図９】同上の実施形態においてスペーサを介在させる例の要部断面図である。
【図１０】従来の屋根構造の要部断面図である。
【発明を実施するための形態】
【００１８】
以下、本発明を図１乃至図４に示す実施形態に基いて説明する。
【００１９】
屋根構造は、図１に示すように、屋根パネル３が横架材４に固定されて主体が構成されるものである。
【００２０】
屋根パネル３は、野地板１の下面に垂木２が固定されて構成されるものである。野地板１としては、構造用合板が好適に用いられるが、他の木質材でもよく、特に限定されない。図２に示すように、野地板１の下面に、所定の間隔Ｌをあけて複数の垂木２が軒棟方向を長手方向として、軒方向に複数本が並設される。垂木２としては、無垢の木材が好適に用いられるが、特に限定されない。また、所定の間隔Ｌは、通常は４５ｃｍ程度であるが、特に限定されない。垂木２は、釘等の固着具（不図示）により野地板１に固定され、屋根パネル３が構成される。
【００２１】
横架材４は、所謂屋根梁、棟木や母屋や軒桁であり、本実施形態では、図１に示すように、ウェブ４１と上フランジ４２と下フランジ４３とを備えたＨ型鋼により構成されている。横架材４は、図２に示すように、軒方向Ａを長手方向として、屋根面に沿うように軒棟方向Ｂに複数本が並設されている。横架材４は、図示しない柱や別の梁に固定されて支持されている。
【００２２】
横架材４の上フランジ４２には、後述する固定具５が固定されるための固着具挿通孔４４が形成される。本実施形態では、図１、図２に示すように、上フランジ４２のウェブ４１と連結されている部分よりも軒側Ｂ１の部分に軒側（水下側）の固着具挿通孔４４ａが形成され、上フランジ４２のウェブ４１と連結されている部分よりも棟側Ｂ２の部分に棟側（水上側）の固着具挿通孔４４ｂが形成されている。
【００２３】
屋根パネル３は、固定具５により横架材４に固定される。固定具５は、本実施形態では固定部６と可動部７とで構成される。固定部６は、図１に示すように、垂木２の側面２１に固定されるもので、図３に示すように、側面２１に固定される垂木固定片６１と、垂木固定片６１の一辺から略直角に連設される連結片６２と、を備えた側面視略Ｌ字状をしたものである。垂木固定片６１には、固着具挿通孔６３が形成されており、図１に示すように、ビスからなる固着具６４により垂木２の側面２１に固定される。また、連結片６２には、軸部挿通孔６５が形成されている。
【００２４】
可動部７は、図１に示すように、横架材４の上フランジ４２に載置されて固定されるもので、図４に示すように、横架材４の上フランジ４２に固定される梁固定片７１と、梁固定片７１の一辺から略直角に連設される支持片７２と、支持片７１の傾斜した一辺から略直角に連設された連結片７３と、を備えたものである。梁固定片７１には、固着具挿通孔７４が形成されており、連結片７３には、軸部挿通孔７５が形成されている。
【００２５】
固定部６と可動部７は、軸部５４により互いに回動自在となるように連結される。図１、図５に示すように、固定部６の連結片６２と可動部７の連結片７３とを、軸部挿通孔６５、７５が連通するように重ね合わせて、連通する軸部挿通孔６５、７５にワッシャ５７を介して軸部５４を構成するボルト５５の軸部を挿通させ、ナット５６を螺合させて締めている。ナット５６をある程度の力で締結することで、固定部６と可動部７の相対的な回動が抑止され、ナット５６を緩めることで、固定部６と可動部７の相対的な回動が自在となる。これにより、図５の二点鎖線で示すように、可動部７を垂木２の下面から突出しないように可動部７を回動させて収容し、ナット５６を締め付けて保持することで、屋根パネル３を搬送する際に、固定具５（可動部７）が垂木２の下面から突出するのが防止され、搬送がし易くなる。また、使用時には、図５の実線で示すように、可動部７を垂木２の下面から突出するように可動部７を回動させてナット５６を締結するものである。
【００２６】
なお、本実施形態では軸部５４がボルト５５、ナット５６で構成されているが、ピンで構成されてもよく、特に限定されない。また、本実施形態ではボルト５５とワッシャ５７が別部材であるが、一体であってもよいし、ワッシャ５７がなくてもよい。
【００２７】
この固定具５を横架材４に固定するには、図１に示すように、屋根パネル３をクレーン等で吊り下げた状態で、各固定具５の可動部７の梁固定片７１をそれぞれ、横架材４の上フランジ４２に載置して、固着具挿通孔７４と固着具挿通孔４４とを連通させて、連通する軸部挿通孔７４、４４にワッシャ５３を介してボルト５１の軸部を挿通させ、ナット５２を締結する。なお、本実施形態ではボルト５１とワッシャ５３が別部材であるが、一体であってもよいし、ワッシャ５３がなくてもよい。
【００２８】
本実施形態では、図２に示すように、屋根パネル３として、それぞれ所定の間隔Ｌをあけた三本の垂木２を有する屋根パネル３１、３２、３４と、それぞれ所定の間隔Ｌをあけた五本の垂木２を有する屋根パネル３３が、軒方向Ａに隣接するように横架材４上に固定されている。屋根パネル３３と屋根パネル３４との間には隙間が形成されているが、このような場合には、隙間に屋根パネル３を構成する目板（不図示）を設ければよい。
【００２９】
図１、図５に示す例では、上フランジ４２の棟側（水上側）の固着具挿通孔４４ｂに、軸部５４により固定具５が固定されているが、固定具５の横架材４への全ての取付箇所において、上フランジ４２の棟側の固着具挿通孔４４ｂに固定具５を固定すると、横架材４に捻れが生じてしまう。このため、横架材４の捻れのバランスをとるため、一部（好ましくは半数）の取付箇所において棟側の固着具挿通孔４４ｂに固定具５を固定し、残りの半数の取付箇所においては軒側の固着具挿通孔４４ａに固定具５を固定するのが好ましい。図６、図７に、上フランジ４２の軒側の固着具挿通孔４４ａに固定具５を固定する例を示す。固定具５が棟側の固着具挿通孔４４ｂに固定される場合と、固定具５が軒側の固着具挿通孔４４ａに固定される場合とでは、垂木固定片６１の垂木２の側面２１への固定高さが異なるものである。
【００３０】
図２の黒三角印が、固定具５の取付位置、すなわち軒側の固着具挿通孔４４ａと棟側の固着具挿通孔４４ｂのいずれに固定するかを示している。各屋根パネル３においては、同一の横架材４に固定される各垂木２の固定具５が設けられる位置について、前記横架材４の軒側の固着具挿通孔４４ａに対応する位置（略して軒側位置という）と、棟側の固着具挿通孔４４ｂに対応する位置（略して棟側位置）とが、互い違いに千鳥状に設定されている。すなわち、屋根パネル３１、３２、３４は、固定具５が設けられる位置が、図２の左側の垂木２より、棟側位置、軒側位置、棟側位置、となっている。また、屋根パネル３３は、固定具５が設けられる位置が、左側の垂木２より、棟側位置、軒側位置、棟側位置、軒側位置、棟側位置、となっている。このようにすることで、横架材４にかかる捻りモーメントが横架材４全体で概ね均衡して、一方向のみに過大な捻りモーメントが横架材４にかかるのが防止され、横架材４の捻れが抑制されるものである。
【００３１】
また、各屋根パネル３においては、同一の垂木２に固定される、各横架材４に固定されるための固定具５が設けられる位置について、軒側Ｂ１（又は棟側Ｂ２）の横架材４から順に、前記垂木２の軒方向の一側の側面２１ａと、軒方向の他側の側面２１ｂとに、千鳥状に互い違いの位置となるように設定されている。すなわち、例えば図２に示す屋根パネル３４においては、左側の垂木２の固定具５が設けられる位置は、図示されている横架材４に固定するための固定具５は、側面２１ａに固定されている。そして、図２に図示されている横架材４の軒側Ｂ１に隣接する横架材４（不図示）に固定するための固定具５は、側面２１ｂに固定されており、その更に軒側Ｂ１に隣接する横架材４（不図示）に固定するための固定具５は、側面２１ａに固定されており、以降はこれを繰り返し、互い違いにの位置に固定されている。また、棟側Ｂ２についても同様である。このようにすることで、垂木２にかかる捻りモーメントが垂木２全体で概ね均衡して、一方向のみに過大な捻りモーメントが垂木２にかかるのが防止され、垂木２の捻れが抑制されるものである。
【００３２】
また、横架材４が棟木のような部材である場合には、図８に示すように、上フランジ４２に形成される両側の固着具挿通孔４４にそれぞれ、図６に示す軒側の固着具挿通孔４４ａへの固定と同様に固定具５を固定し、屋根パネル３の端部は互いに干渉しないように突き合わせ側の端部を切断する。
【００３３】
本発明においては、野地板１と垂木２とで屋根パネル３を構成すると共に、屋根パネル３に固定具５を設けておくことで、従来のように上棟工事施工者が多数の固定金物とビスを持って屋根上に上がって作業を行うといったことが不要となり、施工性が向上するものである。
【００３４】
また、可動部７を回動させて垂木２の下面から突出しないように収容することができるため、屋根パネル３を搬送する際に固定具５が垂木２の下面から突出して邪魔になる、といったことが防止される。
【００３５】
また、屋根パネル３の軒先の出代を調節する場合には、図９（ａ）に示すようなスペーサ８を、図９（ｂ）に示すように固定部６の連結片６２と可動部７の連結片７３との間に介在させて軸部５４で連結することで、出代の調節が可能となる。
【符号の説明】
【００３６】
１    野地板
２    垂木
２１  側面
２２  下面
３    屋根パネル
４    横架材
４１  ウェブ
４２  上フランジ
４３  下フランジ
４４  固着具挿通孔
４４ａ  軒側の固着具挿通孔
４４ｂ  棟側の固着具挿通孔
５    固定具
５１  ボルト
５２  ナット
５３  ワッシャ
５４  軸部
５５  ボルト
５６  ナット
５７  ワッシャ
６    固定部
６１  垂木固定片
６２  連結片
６３  固着具挿通孔
６４  固着具
６５  軸部挿通孔
７    可動部
７１  梁固定片
７２  支持片
７３  連結片
７４  固着具挿通孔
７５  軸部挿通孔
８    スペーサ
Ａ    軒方向
Ｂ    軒棟方向
Ｂ１  軒側
Ｂ２  棟側
【図１】
2014070419.tif 000003
【図２】
2014070419.tif 000004
【図３】
2014070419.tif 000005
【図４】
2014070419.tif 000006
【図５】
2014070419.tif 000007
【図６】
2014070419.tif 000008
【図７】
2014070419.tif 000009
【図８】
2014070419.tif 000010
【図９】
2014070419.tif 000011
【図１０】
2014070419.tif 000012